(57)【要約】【課題】おむつを簡便にカップに着脱でき、且つ、おむつのコスト削減が可能な、おむつ付排泄物処理装置を提供する。【解決手段】おむつ付排泄物処理装置１は、股部３ｃに開口３ｈが形成されたおむつ３と、おむつ３が着脱される排泄物処理装置５と、を有している。排泄物処理装置５は、開口３ｈを塞ぐカップ７と、おむつ３をカップ７に着脱するための着脱部２７と、カップ７内に対して、吸引、送水及び送風を行う装置本体１３と、を有している。着脱部２７は、おむつ３の挟持及びその解除によっておむつ３をカップ７に着脱する。【選択図】図３
2016034423.tif 000002
【特許請求の範囲】
【請求項１】
股部に開口が形成されたおむつと、
前記おむつが着脱される排泄物処理装置と、
を有し、
前記排泄物処理装置は、
前記開口を塞ぐカップと、
前記おむつを前記カップに着脱するための着脱部と、
前記カップ内に対して、吸引、送水及び送風を行う装置本体と、を有し、
前記着脱部は、前記おむつの挟持及びその解除によって前記おむつを前記カップに着脱する
おむつ付排泄物処理装置。
【請求項２】
前記着脱部は、
凹部及び凸部の一方であるカップ側嵌合部を有し、前記カップに設けられたカップ側構成部と、
凹部及び凸部の他方であり、前記カップ側嵌合部との間に前記おむつを挟んだ状態で前記カップ側嵌合部と嵌合する分離側嵌合部を有する分離側構成部材と、を有している
請求項１に記載のおむつ付排泄物処理装置。
【請求項３】
前記着脱部は、
凹部及び凸部の一方であるカップ側嵌合部を有し、前記カップに着脱可能なカップ側構成部材と、
凹部及び凸部の他方であり、前記カップ側嵌合部との間に前記おむつを挟んだ状態で前記カップ側嵌合部と嵌合する分離側嵌合部を有する分離側構成部材と、を有している
請求項１に記載のおむつ付排泄物処理装置。
【請求項４】
前記着脱部は、
スナップのオス及びメスの一方であり、前記カップに設けられ、又は、前記カップに着脱可能なカップ側スナップ片と、
スナップのオス及びメスの他方であり、前記カップ側スナップ片との間に前記おむつを挟んだ状態で前記カップ側スナップ片に留められる分離側スナップ片と、を有している
請求項１に記載のおむつ付排泄物処理装置。
【請求項５】
前記着脱部は、
磁石及び磁性体の一方であり、前記カップに設けられ、又は、前記カップに着脱可能なカップ側構成部材と、
磁石及び磁性体の他方であり、前記カップ側構成部材との間に前記おむつを挟んだ状態で前記カップ側構成部材に吸着可能な分離側構成部材と、を有している
請求項１に記載のおむつ付排泄物処理装置。
【請求項６】
前記着脱部は、
前記カップに設けられ、又は、前記カップに着脱可能な電磁石と、
前記おむつを挟んだ状態で前記電磁石に吸着される磁石と、を有している
請求項１に記載のおむつ付排泄物処理装置。
【請求項７】
前記おむつは、
前記開口を囲み、吸水性ポリマーが配された吸水部と、
前記着脱部に挟持され、前記吸水部よりも薄い被挟持部と、を有している
請求項１〜６のいずれか１項に記載のおむつ付排泄物処理装置。
【請求項８】
股部に開口が形成されたおむつの前記開口を塞ぐことが可能なカップと、
前記おむつを前記カップに着脱するための着脱部と、
前記カップ内に対して、吸引、送水及び送風を行う装置本体と、
を有し、
前記着脱部は、前記おむつの挟持及びその解除によって前記おむつを前記カップに着脱する
排泄物処理装置。
【請求項９】
股部に開口が形成され、排泄物処理装置のカップに着脱されるおむつであって、
前記開口を囲み、吸水性ポリマーが配置された吸水部と、
前記吸水部よりも前記開口側に位置し、前記吸水部よりも薄い被挟持部と、
を有した排泄物処理装置用おむつ。
【発明の詳細な説明】
【技術分野】
【０００１】
本発明は、寝たきりの老人や病人等に利用される、排泄物を自動的に処理するためのおむつ付排泄物処理装置、排泄物処理装置及び排泄物処理装置用おむつに関する。
【背景技術】
【０００２】
排泄物の処理に係る介護の負担を軽減するための装置として、股部に開口が形成されたおむつの前記開口を塞ぐようにおむつが着脱されるカップと、このカップとホースを介して接続され、おむつの開口を介して、排泄物の吸引、並びに、股間等の洗浄及び乾燥を行う装置本体とを有する排泄物処理装置が知られている（例えば特許文献１）。おむつは、カップに着脱可能であることから、例えば、使い捨てタイプのもの（いわゆる紙おむつ）とされる。
【０００３】
このような排泄物処理装置において、おむつをカップに着脱する方法として、両面テープを用いる方法が知られている。しかし、この方法では、両面テープが剥がしづらい、両面テープが適切な場所からずれた場所に貼り付いてしまうなどの不都合があった。また、両面テープの粘着材がカップに残存し、汚れが落ちにくくなるおそれがあった。
【０００４】
特許文献１の排泄物処理装置は、カップ及びおむつの一方にホック（スナップ）のオスを設け、他方にホックのメスを設け、ホックの着脱によって、おむつをカップに着脱している。この着脱方法によれば、上記のような両面テープを用いたときの不都合は解消される。
【先行技術文献】
【特許文献】
【０００５】
【特許文献１】特開２０００−２３２９８６号公報
【発明の概要】
【発明が解決しようとする課題】
【０００６】
しかし、特許文献１の技術では、おむつにホックを設けることから、少なくともおむつのコストについては増大する。及び／又は、排泄物処理装置のユーザにおいて、一般的な（排泄物処理装置用でない）おむつを購入し、そのおむつに開口を形成して排泄物処理装置に適用することが困難になる。
【０００７】
従って、おむつを簡便にカップに着脱でき、且つ、おむつのコスト削減が可能な、おむつ付排泄物処理装置、排泄物処理装置及び排泄物処理装置用おむつが提供されることが望まれる。
【課題を解決するための手段】
【０００８】
本発明の一態様に係るおむつ付排泄物処理装置は、股部に開口が形成されたおむつと、前記おむつが着脱される排泄物処理装置と、を有し、前記排泄物処理装置は、前記開口を塞ぐカップと、前記おむつを前記カップに着脱するための着脱部と、前記カップ内に対して、吸引、送水及び送風を行う装置本体と、を有し、前記着脱部は、前記おむつの挟持及びその解除によって前記おむつを前記カップに着脱する。
【０００９】
好適には、前記着脱部は、凹部及び凸部の一方であるカップ側嵌合部を有し、前記カップに設けられたカップ側構成部と、凹部及び凸部の他方であり、前記カップ側嵌合部との間に前記おむつを挟んだ状態で前記カップ側嵌合部と嵌合する分離側嵌合部を有する分離側構成部材と、を有している。
【００１０】
好適には、前記着脱部は、凹部及び凸部の一方であるカップ側嵌合部を有し、前記カップに着脱可能なカップ側構成部材と、凹部及び凸部の他方であり、前記カップ側嵌合部との間に前記おむつを挟んだ状態で前記カップ側嵌合部と嵌合する分離側嵌合部を有する分離側構成部材と、を有している。
【００１１】
好適には、前記着脱部は、スナップのオス及びメスの一方であり、前記カップに設けられ、又は、前記カップに着脱可能なカップ側スナップ片と、スナップのオス及びメスの他方であり、前記カップ側スナップ片との間に前記おむつを挟んだ状態で前記カップ側スナップ片に留められる分離側スナップ片と、を有している。
【００１２】
好適には、前記着脱部は、磁石及び磁性体の一方であり、前記カップに設けられ、又は、前記カップに着脱可能なカップ側構成部材と、磁石及び磁性体の他方であり、前記カップ側構成部材との間に前記おむつを挟んだ状態で前記カップ側構成部材に吸着可能な分離側構成部材と、を有している。
【００１３】
好適には、前記着脱部は、前記カップに設けられ、又は、前記カップに着脱可能な電磁石と、前記おむつを挟んだ状態で前記電磁石に吸着される磁石と、を有している。
【００１４】
好適には、前記おむつは、前記開口を囲み、吸水性ポリマーが配された吸水部と、前記着脱部に挟持され、前記吸水部よりも薄い被挟持部と、を有している。
【００１５】
本発明の一態様に係る排泄物処理装置は、股部に開口が形成されたおむつの前記開口を塞ぐことが可能なカップと、前記おむつを前記カップに着脱するための着脱部と、前記カップ内に対して、吸引、送水及び送風を行う装置本体と、を有し、前記着脱部は、前記おむつの挟持及びその解除によって前記おむつを前記カップに着脱する。
【００１６】
本発明の一態様に係る排泄物処理装置用おむつは、股部に開口が形成され、排泄物処理装置のカップに着脱されるおむつであって、前記開口を囲み、吸水性ポリマーが配置された吸水部と、前記吸水部よりも前記開口側に位置し、前記吸水部よりも薄い被挟持部と、を有している。
【発明の効果】
【００１７】
上記の構成によれば、おむつを簡便にカップに着脱でき、且つ、おむつのコスト削減が可能である。
【図面の簡単な説明】
【００１８】
【図１】本発明の第１の実施形態に係るおむつ付排泄物処理装置の概略構成を示す模式図。
【図２】図２（ａ）及び図２（ｂ）は図１のおむつ付排泄物処理装置のおむつ及びカップを示す斜視図。
【図３】図３（ａ）及び図３（ｂ）は図１のおむつ付排泄物処理装置の着脱部及びその変形例を示す模式的な断面図。
【図４】図４（ａ）〜図４（ｃ）は第２〜第４の実施形態に係るおむつ付排泄物処理装置の着脱部を示す模式的な断面図。
【発明を実施するための形態】
【００１９】
＜第１の実施形態＞
図１は、本発明の第１の実施形態に係る、おむつ付排泄物処理装置１の概略構成を示す模式図である。
【００２０】
おむつ付排泄物処理装置１は、おむつ３と、おむつ３に形成された開口３ｈ（図２（ａ）参照）を介して、排泄物の吸引、並びに、股間等の洗浄及び乾燥を行う排泄物処理装置５とを有している。
【００２１】
排泄物処理装置５は、例えば、おむつ３が着脱されるカップ７と、複数のホース９及びケーブル１１を介してカップ７に接続された装置本体１３とを有している。
【００２２】
装置本体１３は、例えば、カップ７内の排泄物等を吸引用のホース９を介して吸引する吸引部１５と、股間等を洗浄するために送水用のホース９を介してカップ７内へ送水を行う送水部１７と、洗浄された股間等を乾燥等させるために送風用のホース９を介してカップ７内へ送風を行う送風部１９と、これらの動作を制御する制御部２１とを有している。
【００２３】
吸引部１５は、例えば、不図示の吸引用ポンプ及び当該吸引用ポンプを駆動する吸引用モータ（電動機）を含んで構成されている。吸引用ポンプが生じた負圧によって吸引された排泄物（又は洗浄に利用された水）は、例えば、タンク２５に貯留される。タンク２５は、例えば、装置本体１３の筐体に対して着脱可能とされており、タンク２５に貯留された排泄物は、タンク２５の運搬によって便所等へ運ばれる。タンク２５は、例えば、複数回分の排泄物を貯留できる大きさとされている。
【００２４】
送水部１７は、例えば、不図示の送水用ポンプ及び当該送水用ポンプを駆動する送水用モータ（電動機）を含んで構成されている。送水用ポンプから送出された水は、例えば、カップ７内に配された不図示のノズルから所定の圧力及び範囲で股間等に向けて噴射される。送水部１７は、温水を送出できるように、ヒータ及び／又は温水貯留用タンクを有していることが好ましい。なお、ここでいう送水部１７が送出する水は、真水に限定されず、例えば、洗浄、除菌乃至は消臭のための薬剤等を含むものであってもよい。
【００２５】
送風部１９は、例えば、不図示のファンを含んで構成されている。ファンから送出された空気は、例えば、カップ７内に配された不図示のノズルから所定の圧力及び範囲で股間等に向けて吹き付けられる。送風部１９は、温風を送出できるように、ヒータを有していることが好ましい。なお、ここでいう送風部１９が送出する空気は、装置の周囲等の空気と同一の構成のものに限定されず、例えば、除菌乃至は消臭のための薬剤等を含むものであってもよい。
【００２６】
制御部２１は、例えば、ケーブル１１を介してカップ７の不図示の感知センサからの信号を受信し、その信号に基づいて排泄物の有無を判定する判定部２３を有している。なお、感知センサは、小便用及び大便用に２つ設けられ、ケーブル１１も２本とされてよい。
【００２７】
制御部２１は、判定部２３において排泄物があると判定されると、排泄物の吸引、股間等の洗浄、股間等の乾燥が順に行われるように、吸引部１５、送水部１７及び送風部１９を制御する。なお、制御部２１は、股間等の乾燥後、カップ７内が適宜な時期に換気されるように送風部１９を制御してもよい。
【００２８】
上記の他、排泄物処理装置５は、例えば、ユーザの操作を受け付けて、操作に応じた信号を制御部２１に入力する不図示の入力装置、排泄物処理装置５の運転状態等をユーザに示す表示装置等を有している。また、排泄物処理装置５は、カップ７の傾斜を検出するセンサ、排気専用のホース等を有していてもよい。
【００２９】
図２（ａ）は、おむつ３を示す斜視図である。
【００３０】
おむつ３は、例えば、使い捨ておむつによって構成されており、図２（ａ）では図示しないが、例えば、おむつの外面及び内面を構成する紙などの素材と、その素材間に配置された吸水性ポリマーとを有している。おむつ３は、いわゆるテープ止めタイプ、パンツタイプ、フラットタイプ等のいずれのタイプのものであってもよい。図１及び図２（ａ）では、テープ止めタイプのものを例示している。
【００３１】
おむつ３は、人の下腹部を覆う腹部３ａと、尻を覆う尻部３ｂと、股間を覆う股部３ｃとを有している。この他、特に図示しないが、おむつ３は、排泄物の横漏れ等を防止するためのいわゆるギャザー等を適宜な位置に有していてもよい。
【００３２】
股部３ｃには、開口３ｈが形成されている。開口３ｈの形状及び大きさは、適宜に設定されてよい。また、開口３ｈは、おむつ３を平面に展開したときに面積を有するものであってもよいし、単なる切り込みのように面積を有さないものであってもよい。
【００３３】
図２（ｂ）は、カップ７を示す斜視図である。
【００３４】
カップ７は、例えば、側方から見て概略Ｌ字状に形成されており、おむつ３の開口３ｈを塞ぐカップ本体７ａと、カップ本体７ａに連続し、人の腰を支える支持板７ｂとを有している。カップ本体７ａの、開口３ｈに対向する側にはカップ凹部７ｃが形成されている。
【００３５】
カップ本体７ａは、例えば、概略Ｌ字に形成されており、カップ凹部７ｃは、上方に開放され、排泄物をある程度貯留可能な貯留部７ｃａと、股間側へ開放された対向部７ｃｂとを有している。上述した複数のホース９は、例えば、対向部７ｃｂの股間に対向する面に形成された開口を介してカップ凹部７ｃ内に通じている。支持部７ｂは、例えば、概略板状に形成されている。
【００３６】
カップ７は、全体が一体的に形成されてもよいし、複数の部材が組み合わされて構成されていてもよい。カップ７は、装着した人の不快感を低減するように、ある程度の弾性を有する材料によって構成されていることが好ましい。カップ７は、例えば、ゴム又は樹脂により構成されている。
【００３７】
図３（ａ）は、おむつ付排泄物処理装置１の、おむつ３をカップ７に着脱するための着脱部２７を示す模式的な断面図である。この断面図は、例えば、図２（ｂ）のIII−III線に対応している。
【００３８】
おむつ３は、例えば、開口３ｈの縁部３ｅ（図２（ａ）も参照）がカップ凹部７ｃ内に挿入される。そして、着脱部２７は、縁部３ｅの挟持によっておむつ３をカップ７に保持している。
【００３９】
具体的には、例えば、着脱部２７は、カップ７に設けられたカップ側構成部２９と、カップ７から分離可能に構成された分離側構成部材３１とを有している。
【００４０】
カップ側構成部２９は、カップ凹部７ｃの内面に形成された嵌合凹部２９ａを有し、分離側構成部材３１は、嵌合凸部３１ａを有している。そして、嵌合凹部２９ａと嵌合凸部３１ａとの間におむつ３の縁部３ｅを挟んだ状態で、嵌合凹部２９ａと嵌合凸部３１ａとが嵌合されることによって、おむつ３はカップ７に取り付けられる。図２（ｂ）に嵌合凹部２９ａの配置位置を例示するように、排泄物処理装置５は、例えば、着脱部２７をカップ凹部７ｃの開口縁部に沿って複数有している。
【００４１】
なお、カップ側構成部２９及び分離側構成部材３１をその嵌合方向に見たときの全体又は嵌合部分の形状は、円形や多角形など、適宜な形状とされてよい。また、双方を嵌合方向に直交する方向に見たときの全体又は嵌合部分の形状も、テーパ乃至は逆テーパとされるなど、適宜な形状とされてよい。また、双方の大きさも適宜な大きさとされてよい。
【００４２】
カップ側構成部２９は、カップ７の他の部分と一体的に形成されていてもよいし、カップ７の他の部分と別部材として形成され、固定されていてもよい。カップ側構成部２９及び分離側構成部材３１の材料は樹脂等の適宜なものとされてよい。
【００４３】
おむつ３は、例えば、縁部３ｅがその外周側部分よりも薄く形成されている。例えば、おむつ３は、その外面を構成する外面素材３ｍと、内面を構成する内面素材３ｎと、両者の間に配置され、吸水性ポリマーを含む中間層３ｐとを有しており、縁部３ｅは、外面素材３ｍのみによって構成されている。すなわち、縁部３ｅは、開口３ｈを囲み、吸水性ポリマーが配された吸水部３ｆよりも薄く形成されている。
【００４４】
なお、図３（ａ）の例では、外面素材３ｍによって縁部３ｅが構成されているが、いずれの層によって縁部３ｅが構成されてもよい。また、おむつ３の大部分を構成する素材とは別に、縁部３ｅを構成する素材が開口３ｈの周囲等に取り付けられていてもよい。
【００４５】
以上のとおり、本実施形態では、おむつ付排泄物処理装置１は、股部３ｃに開口３ｈが形成されたおむつ３と、おむつ３が着脱される排泄物処理装置５と、を有している。排泄物処理装置５は、開口３ｈを塞ぐカップ７と、おむつ３をカップ７に着脱するための着脱部２７と、カップ７内に対して、吸引、送水及び送風を行う装置本体１３と、を有している。着脱部２７は、おむつ３の挟持及びその解除によっておむつ３をカップ７に着脱する。
【００４６】
従って、両面テープを用いる場合のように、両面テープを剥がしづらい、又は、両面テープが不適切な位置に貼り付いてしまうというような不都合が生じず、簡便に、おむつ３をカップ７に取り付けることができる。さらに、おむつ３にスナップのオス又はメスを設ける必要はなく、おむつ３のコストが削減される。また、排泄物処理装置５のユーザが、一般的な（排泄物処理装置用でない）おむつを購入し、そのおむつに開口３ｈを形成して排泄物処理装置５用のおむつ３とすることも可能である。これにより、ユーザの経済的負担を軽減できる。
【００４７】
また、本実施形態では、着脱部２７は、カップ側構成部２９と、分離側構成部材３１と、を有している。カップ側構成部２９は、凹部及び凸部の一方である嵌合凹部２９ａを有し、カップ７に設けられている。分離側構成部材３１は、凹部及び凸部の他方であり、嵌合凹部２９ａとの間におむつ３を挟んだ状態で嵌合凹部２９ａと嵌合する嵌合凸部３１ａを有している。
【００４８】
従って、嵌合凹部２９ａ及び嵌合凸部３１ａの嵌合によって簡便におむつ３をカップ７に取り付けることができる。カップ７の製造者が適切な位置に嵌合凹部２９ａを形成しておくことにより、初心者のユーザであっても適切におむつ３をカップ７に取り付けることができる。さらに、カップ７及び分離側構成部材３１は洗浄が容易であり、衛生的に好ましい。
【００４９】
また、本実施形態では、おむつ３は、開口３ｈを囲み、吸水性ポリマーが配された吸水部３ｆと、着脱部２７に挟持され、吸水部３ｆよりも薄い被挟持部（縁部３ｅ）と、を有している。別の観点では、おむつ３は、吸水部３ｆよりも開口３ｈ側に位置し、吸水部３ｆよりも薄い被挟持部を有している。
【００５０】
従って、例えば、嵌合凹部２９ａと嵌合凸部３１ａとのクリアランスを小さくすることができ、ひいては、分離側構成部材３１を小型化できる。このような構成は、一般的なおむつからも簡単に構成可能である。すなわち、開口３ｈを形成したときに、おむつの内面から外面へ積層されている層のいずれかを縁部３ｅを構成する層として選択すればよい。この際、選択されなかった層は、開口３ｈ側の一部が除去されてもよいし、開口３ｈ側の一部が単に捲り上げられるだけでもよい。
【００５１】
（変形例）
図３（ｂ）は、変形例に係る着脱部１２７の構成を示す、図３（ａ）に相当する断面図である。
【００５２】
着脱部１２７は、実施形態と同様に、おむつ３を挟持するカップ側構成部材１２９及び分離側構成部材１３１を有している。より具体的には、例えば、カップ側構成部材１２９は嵌合凹部１２９ａを有し、分離側構成部材１３１は、おむつ３を挟んだ状態で嵌合凹部１２９ａに嵌合する嵌合凸部１３１ａを有している。
【００５３】
ただし、実施形態とは異なり、カップ側構成部材１２９は、カップ７に設けられておらず、カップ７に着脱可能とされている。例えば、カップ側構成部材１２９には、取付凸部１２９ｂが形成されており、カップ７には取付凹部７ｒが形成されている。そして、取付凸部１２９ｂが取付凹部７ｒに嵌合することによって、カップ側構成部材１２９はカップ７に固定される。なお、取付凹部７ｒを含んで着脱部１２７が定義されてもよいが、本願では、説明の便宜上、着脱部１２７は取付凹部７ｒを含まないものとする。
【００５４】
このような構成によれば、おむつ３を挟みこむ作業をカップ７とは離れた場所にて行い、次に、おむつ３を挟持した着脱部１２７をカップ７に取り付ける作業を行うことが可能となる。各々の作業は、実施形態における、おむつ３のカップ７に対する位置合わせと、分離側構成部材３１のカップ側構成部２９に対する取り付けとを同時に行う作業に比較して簡便であるから、おむつ３のカップ７に対する取付作業が全体として簡便化されることが期待される。また、例えば、開口３ｈを形成する器具を用意したときに、当該器具に対して着脱部１２７を着脱可能とすれば、開口３ｈの形成が容易化される。
【００５５】
＜他の実施形態＞
図４（ａ）〜図４（ｃ）は、第２〜第４の実施形態に係る着脱部を示す断面図であり、図３（ａ）の紙面右上の一部に相当する。
【００５６】
なお、第２〜第４の実施形態は、第１の実施形態と同様に、おむつ３の挟持及びその解除によっておむつ３をカップ７に着脱する着脱部を有するが、着脱部の具体的な構成が第１の実施形態と相違する。着脱部の配置位置、及び、着脱部以外の構成は、第１の実施形態と同様でよく、説明は省略する。
【００５７】
＜第２の実施形態＞
図４（ａ）に示すように、第２の実施形態に係る着脱２２７は、スナップのオス及びメスの一方（図４（ａ）ではメス）であり、カップ７に設けられたカップ側スナップ片２２９と、スナップのオス及びメスの他方であり、カップ側スナップ片２２９との間におむつ３（縁部３ｅ）を挟んだ状態でカップ側スナップ片２２９に留められる分離側スナップ片２３１と、を有している。
【００５８】
スナップは、例えば、服飾等に用いられるものと同様のものでよく、凸部及び／又は凹部の弾性変形を伴って互いに嵌合し、また、係合する。スナップの材料は、適宜なものとされてよく、例えば、金属又は樹脂等である。
【００５９】
このような構成によっても、実施形態と同様に、簡便におむつ３をカップ７に着脱することができ、また、おむつ３のコストを削減することができる。また、既成の服飾用のスナップを利用できることから、この点においてもコスト削減が期待される。
【００６０】
＜第３の実施形態＞
図４（ｂ）に示すように、第３の実施形態に係る着脱３２７は、磁石（永久磁石）及び磁性体（強磁性体）の一方であり、カップ７に設けられたカップ側構成部材３２９と、磁石及び磁性体の他方であり、カップ側構成部材３２９との間におむつ３（縁部３ｅ）を挟んだ状態でカップ側構成部材３２９に吸着可能な分離側構成部材３３１と、を有している。
【００６１】
磁石及び磁性体の具体的な形状、大きさ及び材料は適宜に設定されてよい。また、カップ側構成部材３２９及び分離側構成部材３３１のいずれが磁石とされてもよいが、カップ側構成部材３２９を磁石とすれば、分離側構成部材３３１を紛失しても適宜な金属片を分離側構成部材３３１として代用することができ、便利である。
【００６２】
このような構成によっても、実施形態と同様に、簡便におむつ３をカップ７に着脱することができ、また、おむつ３のコストを削減することができる。なお、この変形例においては、おむつ３の被挟持部（縁部３ｅ）が薄いことによって、カップ側構成部材３２９と分離側構成部材３３１とが吸着しやすくなる。
【００６３】
なお、磁性体として、金属について言及したが、磁性体は、金属以外の適宜な材料（例えば金属を主成分とするセラミック）により構成されてもよい。また、磁性体は、磁化されたもの、すなわち、磁石であってもよい。
【００６４】
＜第４の実施形態＞
図４（ｃ）に示すように、第４の実施形態に係る着脱４２７は、カップ７に設けられた電磁石４２９と、おむつ３を挟んだ状態で電磁石４２９に吸着される磁石４３１と、を有している。
【００６５】
電磁石４２９には、電源装置４３０から直流電圧又は交流電圧が印加される（図では直流電源を例示）。制御部２１（図１）は、例えば、装置本体１３の不図示の入力装置に対するユーザの操作に応じて、電磁石４２９に対して電圧を印加し又は印加を停止するように、電源装置４３０を制御する。
【００６６】
このような構成によっても、実施形態と同様に、簡便におむつ３をカップ７に着脱することができ、また、おむつ３のコストを削減することができる。なお、この変形例においても、第３の実施形態と同様に、おむつ３の被挟持部（縁部３ｅ）が薄いことによって、電磁石４２９と磁石４３１とが吸着しやすくなる。
【００６７】
また、第３の実施形態に比較して、吸着力を強くすることが可能であり、また、電圧の印加を停止することによって簡便におむつ３を取り外すことができる。なお、第３の実施形態は、第４の実施形態に比較して、コストの面で有利である。
【００６８】
本発明は、以上の実施形態に限定されず、種々の態様で実施されてよい。
【００６９】
例えば、おむつを挟持する構成は、カップと、嵌合（係合）又は吸着によってカップに着脱可能な部材とによって挟持する構成に限定されない。例えば、着脱部は、おむつをカップに対して押圧する位置と押圧を解除する位置との間で、カップの内面に直交する軸の回りにスライド可能にカップに支持された留め具であってもよいし、一端がカップに固定され、他端がおむつをカップに対して押さえ付ける板ばねであってもよい。
【００７０】
また、例えば、第１の実施形態のように着脱部が凹部及び凸部の嵌合を利用する場合、第１の実施形態とは逆に、カップに凸部が設けられ、分離構成部材に凹部が設けられてもよい。同様に、第２の実施形態のように着脱部がスナップである場合、第２の実施形態とは逆に、カップにスナップのオスが設けられ、分離構成部材がスナップのメスとされてもよい。
【００７１】
第１の実施形態の変形例（図３（ｂ））における着脱部がカップに対して着脱される構成は、第２〜第４の実施形態に対して適用されてもよい。また、着脱部をカップに対して着脱する方法は、凹部及び凸部を利用するものに限定されず、例えば、磁石の吸着を利用するものであってもよい。凹部及び凸部が利用される場合、カップ及び着脱部のいずれか凹部又は凸部とされてもよい。
【００７２】
実施形態では、嵌合又は吸着する部分自体がおむつを挟んだが、嵌合又は吸着する部分と、おむつを挟む部分とは別であってもよい。例えば、第１の実施形態において、嵌合凸部３１ａ及び嵌合凹部２９ａよりもカップ７の縁側の領域ｅ１（図３（ａ））のみによっておむつを挟んでもよい。逆に、嵌合又は吸着する部分自体のみでおむつを挟んだり、嵌合又は吸着する部分のみから分離側の部材が構成されたりしてもよい。嵌合又は吸着する部分と、当該部分とは別の部分との双方によっておむつを挟んでもよい。
【００７３】
実施形態では、おむつの着脱位置をカップの内側としたが、着脱位置は、カップの外側であってもよい。着脱部を構成するカップ側の部材、及び、カップから分離される側の部材は、おむつの装着時にカップの表面に収まる形状とされてもよいし、表面から突出する形状とされてもよい。また、カップから分離される側の部材は、取り外しが簡便になるように、ユーザが把持するための部分が適宜な形状等で設けられてもよい。
【００７４】
着脱部に直接かかわらない部分の構成も適宜なものとされてよい。例えば、排泄物処理装置は、排泄物の有無を検出するセンサを有していなくてもよい。そして、排泄物処理装置は、ユーザの入力装置に対する操作に応じて、吸引、送水（洗浄）及び送風（乾燥）を行ってもよい。
【符号の説明】
【００７５】
１…おむつ付排泄物処理装置、３…おむつ、３ｃ…股部、３ｈ…開口、５…排泄物処理装置、７…カップ、１３…装置本体、２７…着脱部。
【図１】
2016034423.tif 000003
【図２】
2016034423.tif 000004
【図３】
2016034423.tif 000005
【図４】
2016034423.tif 000006